(57)【特許請求の範囲】
【請求項１】
べら針による割増やしが可能な横編機で編成され、少なくとも編地中の特定の領域では編目を形成しないで渡り糸となる編糸を、該領域中の一部の編目を利用して該領域に留めながら編成される編地であって、
該渡り糸となる編糸は、該利用する編目で割増やしを行う際に捕捉された状態で、該利用する編目に重ねて留められている、
ことを特徴とする編地。
【請求項２】
少なくとも前後一対の針床が歯口で対向するように設けられ、各針床にはそれぞれ多数のべら針が編針として配設される横編機で編地を編成する際に、編目の形成に使用する編糸とは異なって渡り糸となる編糸を、編地中の一部の編目を利用して編地に留める処理を含む編地の編成方法において、
該渡り糸となる編糸は、該一部を利用する編目を保持する保持編針と、該保持編針と歯口で対向する対向編針との間での割増やしを行う際に、該割増やしで目移し側となる編針のフックに、新たに形成する編目として捕捉してから、該対向編針に掛かる編目を該保持編針に掛かる編目に重ねるように目移しして、重ねた編目の一方として編地に留める、
ことを特徴とする編地の編成方法。
【請求項３】
前記割増やしを行う前に、前記保持編針に掛かる編目を前記対向編針に目移ししておき、
該対向編針を前記目移し側となる編針として、フックに前記渡り糸となる編糸を捕捉して新たな編目を形成するように割増やししてから、該新たな編目を該保持編針に掛かる編目に重ねるように目移しする、
ことを特徴とする請求項２記載の編地の編成方法。
【請求項４】
前記割増やしは、前記保持編針を前記目移し側となる編針として行って、前記渡り糸となる編糸を新たに形成する編目として該保持編針のフックに捕捉してから、前記対向編針に掛かる編目を、該保持編針に掛かる編目に重ねるように目移しする、
ことを特徴とする請求項２記載の編地の編成方法。
【請求項５】
前記渡り糸となる編糸は、既に編成されて歯口の下方に垂下している編地の領域から編幅外に引出されて待機している状態から、編幅内に糸入れされる際に、他の領域の編成に使用する編糸と交差する、
ことを特徴とする請求項２〜４のいずれか一つに記載の編地の編成方法。
【請求項６】
少なくとも前後一対の針床が歯口で対向するように設けられ、各針床にはそれぞれ多数のべら針が編針として配設される横編機で編地を編成する際に、編目の形成に使用する編糸とは異なって渡り糸となる編糸を、編地中の一部の編目を利用して編地に留める処理を含む編地の編成方法に使用するデザイン装置において、
該渡り糸となる編糸は、該一部を利用する編目を保持する保持編針と、該保持編針と歯口で対向する対向編針との間での割増やしを行う際に、該割増やしで目移し側となる編針のフックに、新たに形成する編目として捕捉してから、該対向編針に掛かる編目を該保持編針に掛かる編目に重ねるように目移しして、重ねた編目の一方として編地に留めるように、編成データを生成する手段を含む、
ことを特徴とするデザイン装置。
【発明の詳細な説明】
【技術分野】
【０００１】
本発明は、横編機で編成され、異なる編糸を使用して編成する領域を有し、領域の編成に使用する編糸が他の領域では渡り糸となる編地、およびその編成方法、ならびにデザイン装置に関する。
【背景技術】
【０００２】
従来から、横編機では、歯口を挟んで対向する少なくとも一対の針床を備え、針床に沿って往復走行するキャリッジに搭載するカムシステムで、針床に並設される編針を駆動している。歯口の上方には糸道レールが架設され、糸道レールに沿って移動するヤーンキャリアをキャリッジが連行して、カムシステムで駆動される編針に、編糸を供給すると編地が編成される。ヤーンキャリアから編糸が供給される給糸口は、編針との干渉を避けるために、歯口の直上の方向に関して、編目形成のために編針が駆動されて先端のフックが移動する範囲よりも高い位置となっている。このような高い位置から編糸が供給されても、供給される編糸の先端は、編針に掛かっていたり、既に編成された編地の編目に連なっていたり、針床の側方に配置される端糸把持装置で把持されているので低い位置にある。したがって、編糸が歯口から浮いている渡り糸となる区間が短ければ、編糸の高さは低くなり、編目形成時の編針のフックに編糸を捕捉することが容易となる。
【０００３】
編糸が編地に編目として編込まれない渡り糸となる距離が長くなると、編目形成時の編針のフックで捕捉することができない高さに浮いてしまう。目移しで編目を渡す側の編針は、編目形成時よりも編針を歯口に進出させる。編針としてべら針を使用する場合、べらが閉じる際に編糸をフック内に引込むので、目移しを応用して編目形成も行う割増やしの動作を利用すれば、高い位置の渡り糸も新ループの編目として捕捉することができる（たとえば、特許文献１参照）。
【０００４】
図５は、特許文献１に開示されている技術を適用し、インターシャ編成時の糸入れで、歯口から高い位置の渡り糸となる編糸１ｄに対し、割増やしを利用して捕捉した後、捕捉した編糸１ｄによる編目を払う一例を示す。編地の編成は、前針床で行うものとする。（ａ）は、編成する編地２を示す。編地２は、Ａ領域２ａ，Ｂ領域２ｂ，Ｃ領域２ｃおよびＤ領域２ｄが組合わされている。Ｄ領域２ｄは、少ないコース数のＣ領域２ｃの前後に編成される。前半のＤ領域２ｄの編成が終了すると、編成に使用する編糸１ｄを供給するヤーンキャリア３ｄは編幅の外部に出る。
【０００５】
（ｂ）は、Ａ領域２ａおよびＢ領域２ｂをヤーンキャリア３ａ，３ｂから供給する編糸１ａ，１ｂでそれぞれ編成して前針床の編針に編目４ａ，４ｂを形成し、Ｃ領域２ｃでも編目４ｃを形成している状態を示す。Ｂ領域２ｂの右端の編目４ｂに続いてタック５をＣ領域２ｃの左端の編目４ｃに掛け、Ｂ領域２ｂとＣ領域２ｃとの間を接続している。Ａ領域２ａとＢ領域２ｂとの間も、同様に接続される。（ｃ）は、Ｃ領域２ｃの編成が終了し、ヤーンキャリア３ｄから供給する編糸１ｄで後半のＤ領域２ｄの編成を開始する状態を示す。（ｄ）に示すように、編糸１ｄの糸入れでは、たとえばＡ領域２ａの編目４ａの一つを後針床に目移しして割増やし６を行う。割増やし６では、後針床の編針に目移しした編目６ａを旧ループとし、新たに編糸１ｄで新ループとなる編目６ｂを形成して渡り糸の浮きを防止する。割増やし６による中継によって、Ｄ領域２ｄの左端の編針で編糸１ｄが確実に捕捉され、編目４ｄが形成されるようにしている。なお、割増やし６の際には、前針床の編針に編目６ｃが目移しされる。後針床の編針に形成した編目６ｂは、後工程の便宜のために、編針から払う。払われた編目６ｂは、渡り糸となって編地と縁が切れる。
【０００６】
ただし、編糸１ｄの伸びや摩擦などに関する特性によっては、（ｅ）に示すように、前針床の編針に残る編目６ｃの付近で、編目６ｂであった編糸１ｄが編目６ａから抜けきらずに弛み７が生じたり、抜けたとしても歯口上で弛んで停留する可能性があることが判明している。
【０００７】
図６は、インターシャ編成時の糸入れで、歯口から高い位置の編糸１ｄに対し、割増やし６を利用して後針床の編針に新ループの編目６ｂとして捕捉した後、編目６ｂを払う際に生じる現象の他の例を示す。（ｄ）までは、図５（ａ）〜（ｄ）と同様であるので、（ａ）〜（ｃ）は省略する。このように複数のヤーンキャリア３ａ，３ｂ，３ｄを使用する場合、相互に干渉しないで、図の横方向に移動可能であるためには、前後に異なるトラックに沿って移動する必要がある。この前後関係を、前側から、ヤーンキャリア３ａ，３ｄ，３ｂの順序である場合を想定すると、Ｂ領域２ｂの左端で、編糸１ｂ，１ｄ間に交差が生じる。割増やし６で後針床の編針に形成した編目６ｂを払うと、（ｅ）に示すように、編糸１ｄが下方に引張られ、交差している編糸１ｂも下方に引張られて、Ｂ領域２ｂの編端の編目からヤーンキャリア３ｂに連なる部分の編糸１ｂが過大に延びて弛み８が生じる可能性がある。
【先行技術文献】
【特許文献】
【０００８】
【特許文献１】再表２００７／１１９２７２号公報
【発明の概要】
【発明が解決しようとする課題】
【０００９】
特許文献１のように、割増やしを利用して、渡り糸となる編糸１ｄを途中でべら針のフックに捕捉すれば、高さを低くすることができ、編糸１ｄを使用して編成する領域２ｄの最初の編目を確実に形成することができる。しかしながら、編目形成後に捕捉したフックから編目を払ってしまうと、図５や図６に示すような弛み７，８が生じる可能性がある。図５に示すような弛み７が生じると、この弛み７もＡ領域２ａの編成の際に糸喰いされ、編込まれて、製品不良となるおそれがある。また、ヤーンキャリア３ｂ，３ｄの前後関係に基づいて、図６に示すような弛み８が生じると、製品不良となる。多くのヤーンキャリアを使用する場合、前後関係による交差を避けることができない場合がある。
【００１０】
本発明の目的は、割増やしを利用して渡り糸を確実に捕捉しても、捕捉後に編糸に弛みを生じないようにして、編成に不具合が生じないようにすることができる編地、およびその編成方法、ならびにデザイン装置を提供することである。
【課題を解決するための手段】
【００１１】
本発明は、べら針による割増やしが可能な横編機で編成され、少なくとも編地中の特定の領域では編目を形成しないで渡り糸となる編糸を、該領域中の一部の編目を利用して該領域に留めながら編成される編地であって、
該渡り糸となる編糸は、該利用する編目で割増やしを行う際に捕捉された状態で、該利用する編目に重ねて留められている、
ことを特徴とする編地である。
【００１２】
さらに本発明は、少なくとも前後一対の針床が歯口で対向するように設けられ、各針床にはそれぞれ多数のべら針が編針として配設される横編機で編地を編成する際に、編目の形成に使用する編糸とは異なって渡り糸となる編糸を、編地中の一部の編目を利用して編地に留める処理を含む編地の編成方法において、
該渡り糸となる編糸は、該一部を利用する編目を保持する保持編針と、該保持編針と歯口で対向する対向編針との間での割増やしを行う際に、該割増やしで目移し側となる編針のフックに、新たに形成する編目として捕捉してから、該対向編針に掛かる編目を該保持編針に掛かる編目に重ねるように目移しして、重ねた編目の一方として編地に留める、
ことを特徴とする編地の編成方法である。
【００１３】
また本発明は、前記割増やしを行う前に、前記保持編針に掛かる編目を前記対向編針に目移ししておき、
該対向編針を前記目移し側となる編針として、フックに前記渡り糸となる編糸を捕捉して新たな編目を形成するように割増やししてから、該新たな編目を該保持編針に掛かる編目に重ねるように目移しする、
ことを特徴とする。
【００１４】
また本発明で、前記割増やしは、前記保持編針を前記目移し側となる編針として行って、前記渡り糸となる編糸を新たに形成する編目として該保持編針のフックに捕捉してから、前記対向編針に掛かる編目を、該保持編針に掛かる編目に重ねるように目移しする、
ことを特徴とする。
【００１５】
また本発明で、前記渡り糸となる編糸は、既に編成されて歯口の下方に垂下している編地の領域から編幅外に引出されて待機している状態から、編幅内に糸入れされる際に、他の領域の編成に使用する編糸と交差する、
ことを特徴とする。
【００１６】
さらに本発明は、少なくとも前後一対の針床が歯口で対向するように設けられ、各針床にはそれぞれ多数のべら針が編針として配設される横編機で編地を編成する際に、編目の形成に使用する編糸とは異なって渡り糸となる編糸を、編地中の一部の編目を利用して編地に留める処理を含む編地の編成方法に使用するデザイン装置において、
該渡り糸となる編糸は、該一部を利用する編目を保持する保持編針と、該保持編針と歯口で対向する対向編針との間での割増やしを行う際に、該割増やしで目移し側となる編針のフックに、新たに形成する編目として捕捉してから、該対向編針に掛かる編目を該保持編針に掛かる編目に重ねるように目移しして、重ねた編目の一方として編地に留めるように、編成データを生成する手段を含む、
ことを特徴とするデザイン装置である。
【発明の効果】
【００１７】
本発明によれば、編地は、べら針による割増やしが可能な横編機で編成され、渡り糸となる編糸を、割増やしを行う際に捕捉して、編地から浮く渡り糸となる領域で、編目を重ねる状態で留めている。編成後の後工程では、渡り糸となっている部分を編地から引抜くことができ、渡り糸の引抜きによって、割増やしした編目を、割増やし前の状態に近く戻すことができる。編地の編成中は、渡り糸を編地に留めているので、渡り糸に弛みを生じることがなく、弛みに起因する不具合を防ぐことができる。
【００１８】
さらに本発明によれば、横編機で編地を編成する際に、渡り糸となる編糸を、保持編針が保持する編目に対して割増やしを行う際に、確実に捕捉することができる。渡り糸は、対向編針に掛かる編目を保持編針に掛かる編目に重なるように目移しして、重ねた編目の一方として編地に留めるので、編成中に弛みを生じるような不具合の発生を防止することができる。編成後には、渡り糸を引抜いて編地から除去することができ、割増やしの影響も編地から除去することができる。
【００１９】
また本発明によれば、渡り糸の大部分を編地の一方側に留めるので、編成後の除去作業を容易にすることができる。
【００２０】
また本発明によれば、渡り糸を捕捉するために必要な割増やしを、保持編針から対向編針へ目移しするように行うので、編成の工程を短縮することができる。
【００２１】
また本発明によれば、渡り糸が下方から編幅内に糸入れされて他の編糸と交差しても、捕捉後の渡り糸を編地に留めておくので、交差している他の編糸を下方に引張らないようにすることができる。
【００２２】
さらに本発明によれば、編針には掛かりにくい編糸が歯口から浮いて渡り糸となるような場合に、割増やしで編針のフックに確実に捕捉され、捕捉後に弛みに起因するような不具合の発生もない編成データを、生成することができる。
【図面の簡単な説明】
【００２３】
【図１】図１は、本発明の一実施例である編成方法の主要部分の編目の構成を模式的に示す図である。
【図２】図２は、図１の編成方法を利用して、編地を編成する手順の一例を示す編成図である。
【図３】図３は、本発明の他の実施例である編成方法の主要部分の編目の構成を模式的に示す図である。
【図４】図４は、本発明のさらに他の実施例であるデザイン装置３０の概略的な構成を示すブロック図である。
【図５】図５は、渡り糸が捕捉後に弛む状態の一例を示す簡略化した編成図である。
【図６】図６は、渡り糸が捕捉後に弛む状態の他の例を示す簡略化した編成図である。
【発明を実施するための形態】
【００２４】
以下、図１および図２で、本発明の一実施例としての編成方法について説明する。図３では、本発明の他の実施例としての編成方法について説明する。これらの編成方法は、歯口を挟んで対向する前針床と後針床に編針としてべら針が備えられ、前針床のべら針で編地を編成する場合について説明する。編成には多くのべら針を使用するけれども、説明の簡略化のために、３本のみ示す。目移しや割増やしの相手となる後針床のべら針は、１本のみ示す。図４では、本発明のさらに他の実施例であるデザイン装置３０について説明する。各図で、先に説明してある部分と対応する部分に同一の参照符を付し、重複する説明を省略する場合がある。
【実施例１】
【００２５】
図１は、本発明の一実施例である編成方法の主要部分の編目の構成を模式的に示す。（ａ）は、たとえば図５の前針床のべら針１０ａ，１０ｂ，１０ｃに編目１１ａ，１１ｂ，１１ｃを１コース分形成している状態を示す。（ｂ）は、（ａ）でべら針１０ａ，１０ｂ，１０ｃのうちで保持編針となるべら針１０ｂが保持している一つの編目１１ｂを、べら針１０ｂに歯口１２で対向する後針床のべら針１３に目移しして、編目１４ａが掛かっている状態を示す。（ｃ）は、渡り糸１５となる編糸を糸入れする際に、前後の針床のべら針１０ｂ、１３間で割増やし１６を行っている状態を示す。割増やし１６は、（ｂ）で目移しした編目１４ａについて行い、対向編針である後針床のべら針１３のフックに渡り糸１５を捕捉して新ループの編目１５ａを形成し、目移しされた編目１４ａを旧ループとしてノックオーバさせる。保持編針である前針床のべら針１０ｂには割増やし１６の際の目移しで編目１４ｂを形成する。特許文献１に示すように、割増やし１６を利用すると、渡り糸１５の捕捉が容易になる。
【００２６】
（ｄ）は、（ｃ）で後針床のべら針１３に形成した編目１５ａを、前針床のべら針１０ｂに目移しして、べら針１０ｂに掛かっている編目１４ｂに重ねて、重ね目２０を形成ている状態を示す。（ｅ）は、重ね目２０を含むコースに続くコースの編目２１ａ，２１ｂ，２１ｃを編成している状態を示す。以下同様に、後続のコースでも編目を編成し、編目を前針床のべら針１０ａ，１０ｂ，１０ｃにそれぞれ編成することを続けた後の編地２２では、破線で示す渡り糸１５を、図の横方向１５ｘに引抜いて除去することができる。渡り糸１５を引抜くと、（ｃ）で旧ループとなった編目１４ａは、周囲の編目に吸収され、元の編目１１ｂ，１１ｃ間のシンカーループに戻る。この編地２２を前針床で編成する場合、渡り糸１５は後針床側で編地２２の裏側に留まるので、引抜きが容易となる。
【００２７】
図２は、編地を編成する手順の一例を示す。キャリッジには、３組のカムシステムＳ１，Ｓ２，Ｓ３が搭載される。各カムシステムＳ１，Ｓ２，Ｓ３で同様に、ニット、タック、ミスの編成動作と、目移し動作とが可能で、少なくとも中間のカムシステムＳ２では割増やしも可能である場合について説明する。なお、３組のカムシステムは、キャリッジの走行方向に応じて、先行側をＳ１、後行側をＳ３とする。編成する編地は、図５に示す編地２を想定し、Ａ領域２ａ、Ｂ領域２ｂ、Ｃ領域２ｃ、Ｄ領域２ｄに対応する各領域を、Ａ，Ｂ，Ｃ，Ｄでそれぞれ示す。また、各領域で使用するヤーンキャリアもＡ，Ｂ，Ｃ，Ｄで示す。図の左側に示す１〜１２の数値は、キャリッジの行程を示す。図の右側に示すＳ１，Ｓ２，Ｓ３は、使用するカムシステムを示す。
【００２８】
行程１では、キャリッジが右へ移動し、カムシステムＳ１で領域Ａ，Ｃ、カムシステムＳ２で領域Ｂをそれぞれ編成する。行程２では、キャリッジが左へ移動し、カムシステムＳ１で領域Ｃ，Ａ、カムシステムＳ２で領域Ｂをそれぞれ編成する。領域間は、タックで接続する。行程１および行程２をリピートして、領域Ａ，Ｂ，Ｃを編成する。行程３では、領域Ｃの編成に使用した編糸を右へ糸出しするために、キャリッジを右へ移動し、ヤーンキャリアＣを右方に移動させながら、カムシステムＳ１で前針床から後針床への目移し、カムシステムＳ２で後針床から前針床への割増やし、カムシステムＳ３で後針床から前針床への目移しによる重ね目形成を行う。カムシステムＳ２による割増やしの際に、右へ糸出しする領域Ｃの編糸は、後針床に新ループとして捕捉され、カムシステムＳ３による重ね目形成で、前針床に移される。
【００２９】
行程４では、キャリッジのみを左へ移動させる。行程５では、ヤーンキャリアＤを左方から移動させて、領域Ｄの編成に使用する編糸を左方から糸入れする。まず、カムシステムＳ１で前針床から後針床に目移しし、カムシステムＳ２で割増やししながら渡り糸の後針床の編針への捕捉による新ループ形成と、前針床への目移しとを行う。カムシステムＳ３では、後針床から前針床への新ループの目移しを行い、前針床の編針には重ね目を形成する。このような割増やしを伴う処理は、渡り糸を確実に捕捉するために、糸入れする距離に応じて、複数箇所で行うことが好ましい。
【００３０】
行程６では、キャリッジを領域Ｄから領域Ｂに移動させ、行程５で領域Ｄに移動したヤーンキャリアＤを蹴り返して、領域Ｂに移動させる。以下、行程７と行程８とをリピートして、領域Ａ，Ｂ，Ｄを編成する。ただし、最初の行程７では、破線で示す領域Ｄの左端をミスにする。行程５で編成済みだからである。リピートする２回目以降の行程７では、破線で示す左端も含めて領域Ｄの編目を編成する。行程９では、キャリッジを領域Ｂから領域Ｄに移動させ、行程８で領域Ｂに移動したヤーンキャリアＤを蹴り返して、領域Ｄに移動させる。行程１０で、ヤーンキャリアＤを左方に移動させて、領域Ｄの編成に使用する編糸を左方に糸出しする。この糸出しの際にも、距離に応じて、複数箇所で割増やしによる渡り糸の捕捉を行う。行程１１では、キャリッジのみ右に移動させ、行程１２では、ヤーンキャリアＣを右方から移動させて、領域Ｃの編成に使用する編糸を右から糸入れする。
【００３１】
以上のように、糸入れや糸出しの際に生じる渡り糸は、割増やしを利用して捕捉し、編目を重ねて保持しておくので、図５（ｅ）に示すような弛み７が生じて、糸喰いされるような不具合を避けることができる。また、使用するヤーンキャリアが移動するトラックの前後関係で交差が生じ、糸入れする編糸が図６のように、下方に引張られるような条件になっても、割増やしの編目１５ａを払うことはないので、図６（ｅ）に示すような弛み８が生じる不具合を防止することができる。
【実施例２】
【００３２】
図３では、本発明の他の実施例としての編成方法の主要部分の編目の構成を模式的に示す。（ａ）は、図１の（ａ）と同様に、前針床のべら針１０ａ，１０ｂ，１０ｃに編目１１ａ，１１ｂ，１１ｃを１コース分形成している状態を示す。（ｂ）は、渡り糸１５となる編糸を糸入れする際に、割増やし２３で、保持編針となるべら針１０ｂのフックに渡り糸１５を捕捉して編目１５ａを新ループとして形成するとともに保持していた編目１１ｂの一部を旧ループの編目１４ａとしてノックオーバさせ、対向編針となるべら針１３には目移しで編目１４ｂを形成している状態を示す。（ｃ）は、（ｂ）の割増やし２３でべら針１３に目移しした編目１４ｂを、元のべら針１０ｂに目移しして戻し、べら針１０ｂに掛かっている編目１５ａに重ねて、重ね目２４を形成している状態を示す。（ｄ）は、重ね目２４を含むコースに続くコースの編目２１ａ，２１ｂ，２１ｃを編成している状態を示す。以下同様に、後続のコースで編目２１ａ，２１ｂ，２１ｃに続く編目を編成し、編地２５を編成後に、破線で示す渡り糸１５を、図の横方向１５ｘに引抜いて除去することができる。渡り糸１５を引抜くと、（ｂ）で形成される編目１４ａは、周囲の編目に吸収され、元の編目１０ｂ，１０ｃ間のシンカーループに戻る。本実施例は、割増やし２３の前に目移しを行わないので、図１の実施例に比較して、渡り糸１５を捕捉する工程を短縮することができる。
【実施例３】
【００３３】
図４は、本発明のさらに他の実施例であるデザイン装置３０の概略的な構成を示す。デザイン装置３０は、前針床および後針床のように、少なくとも前後一対の針床が歯口１２で対向するように設けられ、各針床にはそれぞれ多数のべら針１０ａ，１０ｂ，１０ｃ；１３が編針として配設される横編機で編地を編成する際に必要な編成データを生成する。デザイン装置３０は、汎用のコンピュータ３１に、編地のデザインを行うソフトウエアをインストールして実現される。コンピュータ３１に対しては、入力装置３２を使用して各種入力操作を行い、表示装置３３を介して操作結果や処理結果の表示などを行わせることができる。通信装置３４は、ソフトウエアのダウンロードや、データの通信に利用することができる。記録装置３５は、ソフトウエアやデータの記録に利用することができる。デザイン装置３０で生成する編成データは、通信装置３４や記録装置３５で記録可能な記録媒体を介して、横編機に送ることができる。
【００３４】
この編成データでは、渡り糸１５を、編目１１ｂを保持しているべら針１０ｂを保持編針として利用して編地２２，２５に留める処理を含む。渡り糸１５となる編糸は、保持編針となるべら針１０ｂに歯口１２で対向するべら針１３との間での割増やし１６，２３を行う際に、割増やし１６，２３で目移し側となるべら針のフックに、新たに形成する編目１５ａとして捕捉する。編成データは、対向編針に掛かる編目を保持編針に掛かる編目に重ねるように目移しして、重ねた編目の一方として編地に留めるように生成する。
【符号の説明】
【００３５】
１０ａ，１０ｂ，１０ｃ、１３  べら針
１１ａ，１１ｂ，１１ｃ，１４ａ，１４ｂ，１５ａ，２１ａ，２１ｂ，２１ｃ  編目
１５  渡り糸
１６，２３  割増やし
２２，２５  編地
３０  デザイン装置
【図１】
0005436279.tif 000002
【図２】
0005436279.tif 000003
【図３】
0005436279.tif 000004
【図４】
0005436279.tif 000005
【図５】
0005436279.tif 000006
【図６】
0005436279.tif 000007